(57)【要約】      （修正有）【課題】しなやかな着衣性を実現すると同時に、救命胴衣の表裏全面において浮力体を通して貫通する通気性を発揮する画期的な救命胴衣を提供する。【解決手段】ラッセル編を含む経編で編成したメッシュ地であって、メッシュ地の200ｍｍ×100ｍｍの試験片をＩＳＯ１３９３４−２：１９９９に定めるグラブ法の引張試験で標準状態での各方向の破断強度が４００Ｎ以上のメッシュ地によって大略ベスト状を呈する救命胴衣の前身頃と後身頃の内面と外面を形成し、内面と外面の間に形成した浮力体収容室に、互に離間して平行に並ぶ細棒状の発泡体Ｂｆ列２組を夫々交差するように重ねて成形した柔軟な網目シート状発泡体からなる浮力体Ｆｂを収容した。【選択図】図３
0003210350.tif 000002
【実用新案登録請求の範囲】
【請求項１】
ラッセル編を含む経編で編成したメッシュ地であって、該メッシュ地の200ｍｍ×100ｍｍの試験片をＩＳＯ１３９３４−２：１９９９に定めるグラブ法の引張試験で標準状態での各方向の破断強度が４００Ｎ以上のメッシュ地によって大略ベスト状を呈する救命胴衣の前身頃と後身頃の内面と外面を形成し、前記内面と外面の間に形成される浮力体収容室に、互に離間して平行に並ぶ細棒状の発泡体列の２組を夫々の発泡体列が交差するように重ねて成形した柔軟な網目シート状発泡体による浮力体を収容したことを特徴とする救命胴衣。
【請求項２】
メッシュ地は、促進耐候暴露後に試験片の各方向の破断強度が２６０Ｎ以上のものを使用する請求項１の救命胴衣。
【請求項３】
メッシュ地は、見掛け繊度（番手）がポリエステル２００ｄｔｘ〜５６０ｄｔｘのポリエステルを含む繊維を密度（本／インチ）がタテ２０〜２８コース好ましくは２３〜２５コース、ヨコ１４〜２２ウェール好ましくは１７〜１９ウェールのラッセル編を含む経編により編成した請求項１又は２の救命胴衣。
【請求項４】
メッシュ地は、少なくとも２層を重ねて一体化した請求項１〜３のいずれかの救命胴衣。
【請求項５】
救命胴衣の後見頃、又は前身頃と後身頃は、少なくとも縦方向に分割した形態である請求項１〜４のいずれかの救命胴衣。
【請求項６】
分割した各身頃には、夫々に複数の浮力体の収容室を形成した請求項５の救命胴衣。
【請求項７】
積層する浮力体は、各層の境界面を自由状態で積層した請求項１〜６のいずれかの救命胴衣。
【考案の詳細な説明】
【技術分野】
【０００１】
本考案は、従来の救命胴衣に比較して格段に優れた着衣性と通気性を発揮できる救命胴衣に関する。
【背景技術】
【０００２】
救命胴衣は、船の上で漁労等の作業中などに誤って落水（船外に転落）しても溺れないように着用するもので、船舶等の大きさや種類等によっては、法令等により乗船時の着用が義務付けられている。しかし、救命胴衣の着用義務のない船舶等においては依然として救命胴衣の着用率が低いことに起因する水難事故が発生している。
【０００３】
救命胴衣の着用が忌避される理由としては、従来から判っているが、着用すると作業時の身体の動きを救命胴衣が阻害して作業等の妨げになること、着用して作業等による発汗があっても着用している救命胴衣が前記発汗による熱や湿気の流通を妨げ下衣の着心地を損なってしまうことの２つの理由が、指摘されている。
【０００４】
従来の救命胴衣において、着用すると動きにくくなる点を解消するために採られている手法として、ベスト状の救命胴衣の場合、そのベストの前身頃（胸側）と後身頃（背中側）の浮力体が装填される部位を、縦方向又は縦横方向で複数区域に分割し、分割区域を繋いで連なった個々の分割区域に発泡体等による分割浮力体を装填するようにしたタイプの救命胴衣が、例えば特許文献１〜５等によって知られている。
【０００５】
上記の動きにくくなる点の改善を図った構成の救命胴衣は、浮力体が板状であり、前、後身頃の大きさに合わせた板状浮力体が一層ないし複数層で装填されていた従前のものに比べ、作業時の動きに対する追従性（動き易さ）はいくらかは良くなったが、未だ十全といえるものではなかった。
【０００６】
また、従来の救命胴衣において、通気性を良くするために、救命胴衣の表面と裏面の外皮全面をメッシュ地で形成したものが市場に供給されている。しかし、このメッシュ地の救命胴衣は、浮力体が従来品と同じ独立気泡の板状浮力体であるため、救命胴衣の内外面を内部の板状浮力体を通して貫通する通気性はなく、また浮力体が板状であることにより救命胴衣着用時の柔軟性（動作追従性）に乏しく、未だ着心地良好な救命胴衣とは言えない。
従って、従来の救命胴衣において着衣性と、胴衣の内外両面の間を浮力体を通して空気が貫通できる通気性を備えた救命胴衣は未だ提案されていない。この点は例えば特許文献６〜１０により明らかである。
【先行技術文献】
【特許文献】
【０００７】
【特許文献１】特許第４３７３６８２号公報
【特許文献２】特開２００３−２３９１１６号公報
【特許文献３】特開平１０−３３７７９７号公報
【特許文献４】実開平６−２７４９４号公報
【特許文献５】登録実開新案第３０３９７９４号公報
【特許文献６】特開２００９−２０２７４８号公報
【特許文献７】特開２００９−１４９２３７号公報
【特許文献８】特開２００６−３１２４０２号公報
【特許文献９】特開２００２−５８４０５号公報
【特許文献１０】特開２００２−１２１８９号公報
【考案の概要】
【考案が解決しようとする課題】
【０００８】
本考案は、ベストタイプを始めとする種々のタイプの救命胴衣における上記問題点に鑑み、現時点で他の産業分野の資材として市場に供給されている浮力を有する材料を、本考案独自の工夫を施した内容で救命胴衣の浮力体に用いることにより、従来の救命胴衣において未解決の課題であったしなやかな着衣性を実現すると同時に、従来の救命胴衣では達成不能であった胴衣の表裏全面において浮力体を通して貫通する通気性を発揮する画期的な救命胴衣を提供することを、課題とする。
【課題を解決するための手段】
【０００９】
上記課題を解決することを目的としてなされた本考案救命胴衣の一例の構成は、見掛け繊度（番手）がポリエステル２００ｄｔｘ〜５６０ｄｔｘのポリエステルを含む繊維を密度（本／インチ）がタテ２０〜２８コース好ましくは２３〜２５コース、ヨコ１４〜２２ウェール好ましくは１７〜１９ウェールのラッセル編を含む経編により編成したメッシュ地であって、200ｍｍ×100ｍｍのメッシュ地試験片をＩＳＯ１３９３４−２：１９９９に規定するグラブ法引張試験による破断強度が標準状態の各方向の平均値が４００Ｎ以上、及び促進耐候暴露後の各方向の平均値が２６０Ｎ以上のメッシュ地によって、大略ベスト状を呈する救命胴衣の前身頃と後身頃の内面と外面の全域を形成して前記内面と外面の間に浮力体収容室を形成し、該浮力体収容室の中に、互に隣接離間して平行に並ぶ細棒状の発泡体列の少なくとも２組を、夫々の発泡体列が互いに交差するように重ねて成形した柔軟な網目シート状発泡体による浮力体を収容したことを特徴とする。
上記メッシュ地の破断強度は、小型船舶安全規則（昭和49年運輸省令第36号）第53条第1項に規定する小型船舶用救命胴衣（膨脹式及び呼気併用式以外のもの）の型式認定基準をクリアーできる強度である。
【００１０】
本考案では救命胴衣の上記構成において、上記メッシュ地の同じ仕様のもの同士、又は前記メッシュ地と他の仕様のメッシュ地と積層し、両メッシュ地を例えばキルティング縫合等により一体化して救命胴衣の内外面地とすることもできる。本考案においてメッシュ地を重ねて使用するのは、所望の引張強度を発現させるためである。
【００１１】
本考案救命胴衣の上記一例の構成では、上記のメッシュ地で救命胴衣の前身頃と後身頃の内面全域と外面全域を形成し、前記内外両面の外周を縫合等により接合して浮力体の収容室を形成したが、前記メッシュ地は、前，後身頃の一部区域に用いた形態とすることもできる。
前記メッシュ地による前，後身頃の一部区域の範囲は、本考案が目的とする救命胴衣の通気性を従来品の通気性よりも遥かに大きくできる範囲が望ましい。メッシュ地を用いない範囲の例としては、前，後身頃の境界である左右の腋の下の部位（左右の脇腹部）、或は前，後身頃の上半部の一部、又は下半部の一部等である。
本考案救命胴衣において、内外両面メッシュ地、又はメッシュ地以外の外皮により形成される前，後身頃の外周の一部は、縫合せずに残して浮力体の出し入れのための開口部とし、浮力体装填の後から縫合等で接合したり、当該開口部にファスナやホック等の開閉具を設けて後から閉じることができるようにすることができる。
【００１２】
上記のようにして浮力体の収容室が形成される救命胴衣の前身頃と後身頃は、夫々に一個の独立した身頃形態に形成されたものであってもよいが、夫々の身頃形態を縦方向に分割した形、或は、縦横に分割した形であって、各分割片をメッシュ地やテープ材などで結合した形態のものを、選択して使用することができる。
【００１３】
本考案救命胴衣は、上記のように前，後身頃の内外両面の全域ないし通気性に有効な一部区域をメッシュ地で形成したものでは、本考案救命胴衣の外皮はその表裏面の全域、ないし通気性に寄与する一部において十分な通気性を備えている。
【００１４】
本考案は、救命胴衣の外形と、当該胴衣の前、後両身頃の全域ないし通気性に寄与する一部区域における表裏両面をメッシュ地により構成したことによる通気性を活かすため、或は、前記通気性を損なうことがないようにするため、前、後身頃に形成した浮力体の収容室に入れる浮力体に、以下に説明する本考案独自の工夫を施したものを用いる。
【００１５】
本考案救命胴衣の浮力体に用いる発泡体は、従来から果実等の包装用緩衝材として農業分野で用いられている「高発泡ポリエチレンネット」と称されている網目シート状の独立気泡発泡体（以下、本明細書では、「網目シート状発泡体」という。）を利用し、これに独自の工夫を加えた形態の発泡体である。
【００１６】
本考案で用いる網目シート状発泡体の形態は、互に隣接状態で離間して平行に並ぶ多数本の細棒状の独立気泡性のポリエチレン発泡体列（以下、細棒状発泡体列）の少なくとも２組を、夫々の平行な細棒状発泡体列が上下で重複して交差するように押出成形したものであり、これで１枚の網目シート状発泡体を形成している。
【００１７】
本考案では、上記の網目シート状発泡体を、例えば厚さを２〜３ｍｍから６〜７ｍｍ程度に成形し、この網目シート状発泡体の複数枚、例えば６~１０枚、好ましくは７，８枚を重ねて前記浮力体収容部に収容する。この場合、重ねる複数枚の網目シート状発泡体は、夫々のシート枚ごとに細棒状発泡体と平行な向きに分割することがある。分割した網目シート状発泡体の複数枚を、分割方向が交互に、例えば縦向きと横向きの交差状、或は左斜め向きと右斜め向きの交差状となるように重ねて浮力体収容室に収容する。分割した各枚の網目シート状発泡体は、互に離れてしまわないように糸、紐、テープ等でゆるく連結しておいてもよい。
【考案の効果】
【００１８】
本考案は、一例として上述したＩＳＯ１３９３４−２：１９９９のグラブ法引張試験による標準状態での破断強度が４００Ｎ以上等の条件を満たしたメッシュ地によって、大略ベスト状を呈する救命胴衣の前身頃と後身頃の内面と外面の全域ないし十分な通気性に寄与する一部区域を形成し、前記内面と外面の間が形成する浮力体収容室に、互に離間して平行に並ぶ細棒状の発泡体列の２組を夫々の発泡体列が交差する形態に成形した柔軟な網目シート状発泡体による浮力体を収容」してベスト型の救命胴衣としたから、救命胴衣全体が、メッシュ地による内外両面と中間の浮力体の３つの層を貫通して十分な通気性を発揮することができ、また浮力体も高発泡ポリエチレンネットと称される網目シート状発泡体を積層して用いたから、浮力体自体もしなやかな柔軟性を備えており、従って着用して作業するとき救命胴衣全体がしなやかに変形して身体の動きによく追従する十分な追従性を発揮する。
【図面の簡単な説明】
【００１９】
【図１】本考案救命胴衣の一例を前身頃のラインファスナを外して展開した状態の救命胴衣外面側の正面図。
【図２】図１の本考案救命胴衣の裏面図。
【図３】本考案救命胴衣に用いられる浮力体の一例の要部の模式的拡大断面図。
【考案を実施するための形態】
【００２０】
次に本考案救命胴衣の実施の形態例について、図を参照して説明する。
【００２１】
図１〜図３において、ＬＪは本考案救命胴衣の一例であり、１ＦＬ、１ＦＲが左右の前身頃、２ＢＬ，２ＢＲが左右で２つに分割した左右の後身頃、３は前、後両身頃の境界部位を結合するためのベルトやテープ等による接続部材で、図の例では長さ調節用尾錠３ａを備えている。前記尾錠３ａは、当該尾錠やベルトの突起した部分が救命胴衣の内側を向くように、通常の使用形態とは逆向きの面（救命胴衣の内面側）で操作するように配置している。３１は２つに分割した左右の後身頃２ＢＬと２ＢＲを接続するための接続部材である。４ａ，４ｂは左右の前身頃１ＦＬと１ＦＲの突合せ部を開閉するためのラインファスナである。図中、５は反射材、６ａ，６ｂは前後身頃の前記突合せ部の上端部に設けた面ファスナを利用した係止部、７は笛である。
【００２２】
本考案においては、身頃の分割を上記例の後身頃の縦方向２分割のほかに、３つ以上の縦分割にしたり、左右の前身頃１ＦＬ、１ＦＲを夫々に縦方向に少なくとも２分割することもある。さらには、前記縦分割に代え、或は、縦分割と併用して横方向に少なくとも２分割することもできる。各部の分割面は上記例のようにテープ等の接続部材３，３１で結合したり、図示しないが分割面の縁に適宜幅のつなぎ代を形成し、つなぎ代同士を縫合等により結合することがある。
【００２３】
本考案救命胴衣は、上記の各身頃１ＦＬ、１ＦＲ、２ＢＬ、２ＢＲの内面地と外面地とを下記のメッシュ地で形成したことが特徴の一つである。前記各身頃１ＦＬ，２ＢＬ，２ＢＲは、夫々の内面地と外面地の外周縁ｅを、テープ地等を介在させて縫合し、後述する浮力体Ｆｂの収容室Ｒｆに形成される。図１，２においてＨＲは袖ぐり、Ｎｈは衿ぐりである。
即ち、使用するメッシュ地としては、一例として、見掛け繊度（番手）がポリエステル２００ｄｔｘ〜５６０ｄｔｘのポリエステルを含む繊維を、密度（本／インチ）がタテ２０〜２８コース好ましくは２３〜２５コース、ヨコ１４〜２２ウェール好ましくは１７〜１９ウェールにするラッセル編を含む経編により編成したメッシュ地であって、200ｍｍ×100ｍｍのメッシュ地試験片をＩＳＯ１３９３４−２：１９９９に規定するグラブ法引張試験による破断強度が標準状態の各方向の平均値が４００Ｎ以上、又は促進耐候暴露後の各方向の平均値が２６０Ｎ以上のメッシュ地であることが好ましい。本考案で用いるメッシュ地は、そのタテとヨコの密度が上記範囲を下回ると上記の破断強度を得にくくなり、逆に上記範囲を上回ると本考案が目的とする通気性を得にくくなる。
なお、前記メッシュ地は、一重で使ってもよいが、例えば少なくとも二重にしてキルティング縫合などで二重メッシュ地を一体化し、破断強度が少なくとも４００Ｎを発揮できるように作成したものを用いることもできる。
【００２４】
前記メッシュ地により形成された各身頃１ＦＬ，１ＦＲ，２ＢＬ，２ＢＲの浮力体Ｆｂの収容室Ｒｆは、周縁ｅの縫合線の一部を縫合せずに開口部状に残しておき、浮力体Ｆｂを収容して縫合閉鎖したり、或は前記開口部にファスナ等の開閉具を設けて浮力体Ｆｂの出し入れができるようにすることができる。
【００２５】
本考案救命胴衣ＬＪに用いている浮力体Ｆｂは、一例として図３に例示した断面構造のものである。図３に示した浮力体Ｆｂの例は、農業分野で使用されている高発泡ポリエチレンネットＰｎ（以下、発泡ネットＰｎという）を３層重ねたものである。本考案で発泡ネットＰｎの積層数は少なくとも２層、好ましくは６〜８層であるが、積層数を幾つにするかは発泡ネットＰｎを構成する細棒状の発泡体Ｂｆの太さによる。
つまり細棒状発泡体Ｂｆの太さが大きければ発泡ネットＰｎ（一層）の厚さは大きくなり、細棒状発泡体Ｂｆの太さが小さいと発泡ネットＰｎの厚さは小さいから、一層の厚さが大きい発泡ネットＰｎの積層数は少な目になるが、一層の厚さが小さい発泡ネットＰｎは積層数が多くなる。前記発泡体ネットＰｎは、それ自体の通気性が高く、積層しても通気性は殆んど損なわれない。
【００２６】
本考案の浮力体Ｆｂにおいて、発泡ネットＰｎを２層以上、好ましくは6~8枚を積層して用いるのは、一枚の厚手の発泡体に比べ薄手の発泡体を自由境界面で積層した方が、浮力体にしたときの柔軟性に優れることに着目したからである。また、各発泡ネットＰｎには、各層ごとに細棒状発泡体の長さ方向に沿って分割したものを用いることがある。分割した各層の発泡ネットＰｎは各層の分割線を交差させた向きで積層すると積層の厚さが大きくなっても柔軟性は殆んど損なわれない。
【００２７】
しかも、本考案では、細棒状発泡体Ｂｆを平行に並べた列の２組を、両組の細棒状発泡体Ｂｆの列が交差するように重ねた態様で押出成形した柔軟で変形し易い高発泡ポリエチレンネットによる発泡体ネットＰｎを用いて浮力体Ｆｂとしているから、前記の分割した細棒状発泡体Ｂｆの複層構造による柔軟性と発泡ネットＰｎ自体の柔軟性が相俟って、浮力体Ｆｂがきわめて柔軟で身体の動きに追従してよく変形できる。
【００２８】
上記の浮力体Ｆｂが、織布に比べて柔軟で通気性が良好なメッシュ地により全体が形成された救命胴衣ＬＪの浮力体収容室Ｒｆに収められているから、救命胴衣としても着用時の通気性及び身体追従性は、従来品では得られない画期的なレベルのものである。
【００２９】
本考案救命胴衣は以上の通りであるから、着用時の通気性は従来品では得られない画期的な高レベルで発現でき、しかも着用時の動作による身体の動きに対してもしなやかに追従することができるという、従来の救命胴衣では得られないきわめて良好な通気性と着衣性を発揮する。
【符号の説明】
【００３０】
ＬＪ  本考案救命胴衣
１ＦＬ，１ＦＲ  左，右の前身頃
２ＢＬ，２ＢＲ  左右に分割した後身頃
３  テープ等の結部材
４  ラインファスナ
ｅ  内面材と外面材の縫合される外周縁
Ｒｆ  浮力体Ｆｂの収容室
Ｆｂ  浮力体
Ｐｎ  高発泡ポリエチレンネット
Ｂｆ  細棒状の発泡体
ＨＲ  袖ぐり
Ｎｈ  衿ぐり
【図１】
0003210350.tif 000003
【図２】
0003210350.tif 000004
【図３】
0003210350.tif 000005